(57)【特許請求の範囲】
【請求項１】
柱材の下端部に取り付けられる柱脚金物であって、
柱材に対してその下端から挿入され固定される筒状の挿入部と、
該挿入部の下端外周に形成され、柱材の下端面を受ける鍔状の受け部と、
上記挿入部の内周に形成され、アンカーボルトの挿入を受け入れるバカ孔が形成された環状板部とを有した
柱脚金物。
【請求項２】
前記受け部に、位置合わせ用の目印が形成された
請求項１に記載の柱脚金物。
【請求項３】
アンカーボルトに螺合され、前記環状板部の上下に配設されるナットを備えた
請求項１または請求項２に記載の柱脚金物。
【請求項４】
前記環状板部の上側に配設されるナットの下側に、環状板部に上から嵌合するとともに、アンカーボルトを挿通可能な位置修正用の長孔が形成された座金を備える
請求項３に記載の柱脚金物。
【請求項５】
基礎天端から突出するアンカーボルトの軸上に、前記請求項１から請求項４のうちのいずれか一項に記載の柱脚金物を取り付けるとともに、
該柱脚金物の受け部の水平位置、垂直位置、向きを調整したのち、柱材を建て込んで、上記受け部で柱材の下端面を受ける
柱材建て込み方法。
【発明の詳細な説明】
【技術分野】
【０００１】
この発明は、木造建築で用いられる柱脚金物に関し、より詳しくは、所定通りの位置に精度よく柱材を建て込むことができ、耐震性も良好であるような柱脚金物に関する。
【背景技術】
【０００２】
耐震性を向上させるために通し柱を布基礎に連結することが知られている。そのための柱脚金物として、たとえば下記特許文献１に記載の柱脚金物がある。
【０００３】
この柱脚金物は、上方が開放された筒枠を基板に対して垂直方向に一体形成した構造であり、アンカーボルトを埋設した布基礎上に載置して、アンカーボルトに螺合するナットにより上から締め付け固定した後、通し柱の下端部を上記筒枠内に挿入し、筒枠と通し柱とをボルトで固定するというものである。
【０００４】
この特許文献１の柱脚金物によれば、通し柱が柱脚金物を介して布基礎上に強固に連結できるので耐震性が著しく向上する。
【０００５】
しかし、特許文献１の柱脚金物は、基板を布基礎上に載置して固定するものであって、基板の位置（水平方向の位置、垂直方向の位置）は、基礎天端の高さが所定通りに形成されることと、アンカーボルトの位置が正しく設定されていることが前提となって、はじめて正確な建て方ができる。つまり、基礎天端の高さやアンカーボルトの位置が正しくないと、柱の建て込み精度が損なわれ、軸組に歪が生じ、却って耐震性が悪くなってしまう難点がある。
【０００６】
この点、下記特許文献２には、アンカーボルトの位置が多少狂っていてもその位置ずれを吸収できるように、柱脚金物におけるアンカーボルトを通す部分をアンカーボルトの径よりも大きく設定するとともに、柱脚金物の固定のためにアンカーボルトに螺合するナットの下に、長孔を有した底板体を設けることが開示されている。
【０００７】
これによって柱脚金物の水平方向での位置は正しく設定しやすくなるが、垂直方向での位置を修正することはできず、基礎天端と土台の精度の影響を受ける。
【０００８】
また、特許文献２の柱脚金物では、「土台に立設する柱とアンカーボルトとを連結する」とはいうものの、土台に埋設される土台埋設部と、該土台埋設部と別体に形成され柱に挿入されるホゾ部とを、土台内において１本の係止ピンで連結するものであり、柱はあくまでも土台に固定され、この土台を介してアンカーボルトに固定されているのであって、柱がアンカーボルトに直結されるものではない。
【０００９】
しかも、土台埋設部をアンカーボルトに固定する時には、土台埋設部の上面が土台の上面と面一になるように考慮して行わなければならず、必ずしもきつく締め付けられるとは限らない。そのうえ、ナットの下の底板体には、長孔が形成されているので、地震発生時の横揺れで土台が基礎の上において位置ずれするおそれがある。
【特許文献１】特開平１１−２００５１１号公報
【特許文献２】特許第３４８８８７０号公報
【発明の開示】
【発明が解決しようとする課題】
【００１０】
そこで、この発明は、柱材を基礎のアンカーボルトに直結して耐震性を向上できるとともに、柱材の建て込み時においてもレベル出し等を行って精度を高めることができるようにすることを主たる課題とする。
【課題を解決するための手段】
【００１１】
そのための手段は、柱材の下端部に取り付けられる柱脚金物であって、柱材に対してその下端から挿入され固定される筒状の挿入部と、該挿入部の下端外周に形成され、柱材の下端面を受ける鍔状の受け部と、上記挿入部の内周に形成され、アンカーボルトの挿入を受け入れるバカ孔が形成された環状板部とを有した柱脚金物である。
【００１２】
すなわち、柱脚金物を用いて柱材を建て込む時には、アンカーボルトに対してナットを螺合しておき、ナットの上に柱脚金物の環状板部をのせるべくバカ孔をアンカーボルトに遊嵌する。この状態で上記ナットを回転して柱脚金物の受け部の上面が所定高さに位置するように調整する。そして、柱脚金物の水平方向での位置や向きを所定通りに設定し、アンカーボルトに別のナットを螺合し、柱脚金物の環状板部を上下に挟み込んでアンカーボルト上での位置を固定する。
【００１３】
このあとは、基礎天端に基礎パッキンを載置したり土台を載置したりする必要な作業を適宜行うとともに、柱脚金物の挿入部を利用して柱材の建て込みを行う。
【００１４】
柱材の下端面は受け部によって受けられるので、柱脚金物の固定に際して位置決めした通り正確な位置に柱材を建て込むことができる。このとき、建て込まれた柱材は基礎のアンカーボルトに直結された状態となる。
【００１５】
ここで、上記構成要素については、たとえば次のような態様に構成することができる。  
その態様の一つは、上記受け部に、位置合わせ用の目印が形成されたものである。該目印は、たとえば受け部が平面視円形の場合、その周囲の４箇所に等間隔で設けられる切込みや、受け部の上面に十字状に設けられる線状の印で構成できる。
【００１６】
すなわち、目印に基づいて、建て込まれる柱材の中心位置に挿入部の中心が位置するように合わせると、柱材を所定の位置に建て込むことができる。
【００１７】
態様の他の一つは、アンカーボルトに螺合され、上記環状板部の上下に配設されるナットを備えたものである。
【００１８】
すなわち、ナットが環状板部を上下に挟みつけて固定を行うので、上から押さえ込むだけの場合とは異なり強固な固定状態が得られる。このため、地震の横揺れにも耐え得る軸組みを構成できる。
【００１９】
態様の他の一つは、上記環状板部の上側に配設されるナットの下側に、環状板部に上から嵌合するとともに、アンカーボルトを挿通可能な位置修正用の長孔が形成された座金を備えるものである。該座金は、挿入部に収まる大きさの大径部と、該大径部の下に形成されバカ孔に収まる大きさの小径部からなるものであるとよい。
【００２０】
すなわち、座金の長孔がバカ孔内におけるアンカーボルトの位置ずれを回転しながら連続的に許容するので、位置調整が容易であるとともに、長孔の幅方向でアンカーボルトを支持しながら環状板部に対する強固な締め付けを実現する。
【００２１】
別の手段は、基礎天端から突出するアンカーボルトの軸上に、上記柱脚金物を取り付けるとともに、該柱脚金物の受け部の水平位置、垂直位置、向きを調整したのち、柱材を建て込んで、上記受け部で柱材の下端面を受ける柱材建て込み方法である。
【００２２】
すなわち、柱脚金物の位置を所定通りに正確にあわせた後に柱材を建て込むので、柱材の建て込み高い精度で行える。このため、軸組等の構成に際して歪の発生はなく、柱材を基礎のアンカーボルトに直結したことによる高耐震性という効果を充分に発揮し得る木造建築物が得られる。
【発明の効果】
【００２３】
以上のように、この発明の柱脚金物を用いれば、柱材の建て込みに先立って柱脚金物の位置を建て込む柱材の位置の合わせて正確に位置決めできるので、歪のない、木造建築物を精度高く構成することができる。
【００２４】
しかも、上記位置合わせは受け部を利用して行えるので、別途に何らかの手段を設けたりする必要はなく、簡単に行える。
【００２５】
また、柱材はアンカーボルトに固定した柱脚金物に対して固定するので、柱材がアンカーボルトに直結した耐震性の高い木造建築物となる。
【００２６】
この発明の柱材建て込み方法によれば、柱材の建て込みに際して正確な位置決めができるので、精度の高い木造建築が得られる。基礎の形成に当たって正確に施工した上さらに柱材の下端面位置を正確に出す、少なくとも２段階のレベル出しや位置決めの作業によって、精度はより完全なものとなる。しかも、柱材の下端の位置決め作業は、受け部を利用することで容易に行える。
【発明を実施するための最良の形態】
【００２７】
この発明を実施するための一形態を、以下図面を用いて説明する。  
図１は、木造建築の軸組１１における柱材１２の柱脚部を示し、この図に示すように、柱材１２は基礎２１内に配設されたアンカーボルト３１に対して柱脚金物６１によって直結されている。
【００２８】
直結される柱材１２は、通し柱１２ａであるのが好ましい（図２参照）。また、通し柱１２ａではなくとも通し柱のようにその上端部に横架材１３の端部が結合され荷重を支持するのに重要な柱材１２ｂであるもよい。
【００２９】
上記柱脚金物６１は、アンカーボルト３１の軸と柱材１２の軸とが一直線に並ぶように柱材１２を連結するためのもので、１個の部材からなる。
【００３０】
すなわち、図３に示したように、柱材１２に対してその下端から挿入され固定される筒状の挿入部６２と、該挿入部６２の下端外周に形成され、柱材１２の下端面を受ける鍔状の受け部６３と、上記挿入部６２の内周に形成され、アンカーボルト３１の挿入を受け入れるバカ孔６４ａが形成された環状板部６４とを有する。
【００３１】
上記挿入部６２には、柱材５２に対して下から固定したのちボルトやドリフトピンを差し込むための貫通孔６２ａを有し、上端６２ｂは開口している。
【００３２】
上記受け部６３と環状板部６４は一体であり、平面視円形をなす。つまり、挿入部６２の内径よりも小径の上記バカ孔６４ａを有した円形の板材を筒状の挿入部６２の下端に固定して形成される。
【００３３】
受け部６３の外周縁部には、等間隔に４個の目印用の切欠６３ａが形成され、相対向する２個の切欠６３ａは上記貫通孔６２ａの向きと同一に設定される。
【００３４】
この柱脚金物６１には、位置調整用ナット６５と固定用ナット６６、それにこれらに重なる座金６７，６８が備えられる。位置調整用ナット６５は、アンカーボルト３１に螺合して柱脚金物６１のアンカーボルト３１上での上下（垂直）方向での位置を決めるためのもので、その上面側に上記座金６７を備えている。この座金６７は、アンカーボルト３１が通る大きさの貫通孔を有する板状で、図４に示したように座金６７が柱脚金物６１の環状板部６４の下面を受ける。
【００３５】
また、固定用ナット６６は、上記位置調整用ナット６５と座金６７で支持された柱脚金物６１の環状板部６４を締め付けるためのものである。この固定用ナット６６の下に重ねられる座金６８は、環状板部６４に対して上から嵌合すべく挿入部６２に収まる大きさの大径部６８ａと、該大径部６８ａの下に形成されバカ孔６４ａに収まる大きさの小径部６８ｂからなる板状で、位置修正用の長孔６８ｃが形成されている。上記小径部６８ｂの厚さは、環状板部６４の厚さよりも薄く設定される。
【００３６】
このように構成された柱脚金物６１は、次のようにして使用される。  
すなわち、アンカーボルト３１に柱材１２を建て込む作業に先立って、位置調整用ナット６５をアンカーボルト３１に螺合し座金６７をセットした上で柱脚金物６１を乗せて、柱脚金物６１の受け部６３の上面が所定の高さに位置するように位置調整用ナット６５を回転して調整する（図４の一点鎖線参照）。続いて、アンカーボルト３１に対して上から座金６８を通し固定用ナット６６を螺合する。そして、図５に示したように切欠６３ａを利用して柱脚金物６１の水平方向での位置を調整して固定用ナット６６で締め付けを行う。座金６８は、環状板部６４上で回転するので、長孔６８ｃの長さの範囲内であれば、アンカーボルト３１はいずれの方向にも相対移動可能である。
【００３７】
つまり、柱材１２の建て込みに先立って柱材１２の下端面のレベル出しと水平方向の位置調整と向きの調整を行う。
【００３８】
柱脚金物６１を固定すると、図６に示したような状態になるので、図１に示したように適宜の基礎パッキン６９等を取り付けてから柱材１２を建て込み、受け部６３の上面で柱材１２の下端面を受ける。続いて、土台１４を固定するなど必要な作業を行う。
【００３９】
上記基礎パッキン６９に代えて、土台５４の固定後に適宜の充填材を充填してアンカーボルト等を隠蔽することもできる。
【００４０】
このように柱材１２の建て込みに際して柱材１２の下端面の位置を正確に設定することができるので、歪のない木造建築物を精度高く構成することができる。
【００４１】
しかも、上記位置合わせは受け部６３を利用して行えるので、別途に何らかの手段を設けたりする必要はなく、簡単に行える。
【００４２】
また、柱材１２はアンカーボルト３１に固定した柱脚金物６１に対して固定するので、柱材１２がアンカーボルト３１に直結した耐震性の高い木造建築物となる。
【００４３】
なお、図中３２は、上記アンカーボルト３１を保持し、基礎２１の立ち上がり基礎２２内に埋設されるアンカーパックであり、上述のような柱脚金物６１を取り付けるのに好適である。
【００４４】
このアンカーパック３２の構成と作用効果について、図７から図１０を用いて説明すると、アンカーパック３２は、図１０にも示したように基礎２１のベースコンクリート２３上に接地され、立ち上がり基礎２２内に埋設されるものである。図示例ではべた基礎を示したが、その他の形態の基礎であるもよい。図中５１は、アンカーパック３２を用いずに、従来通りの取付けを行ったアンカーボルトである。
【００４５】
図８はアンカーパック３２の構造を示す分解斜視図であり、フレーム体３３と１本の上記アンカーボルト３１を有する。
【００４６】
フレーム体３３は、ベースコンクリート２３の上面に接地する下プレート３４と、該下プレート３４から立設された４本の支柱３５…と、これら支柱３５…の上端部に対して下プレート３４と平行に固定され、かつその上面が後で形成される立ち上がり基礎２２の天端２２ａと同一高さに位置する上プレート３６とからなる。
【００４７】
下プレート３４は方形板状で、中心部を除く内側に厚さ方向に貫通する２つの窓部３７を有する。四隅部分には、ボルト３８を螺合可能な螺子部を有した筒状の螺合部３９が設けられ、ボルト３８の螺合によってベースコンクリー２３上での水平を出せるようにしている。
【００４８】
また、下プレート３４の各辺の中間に位置には目印としての切欠４０が設けられ、下プレート３４の中心位置をベースコンクリート２３上で所定位置に接地しやすくしている。
【００４９】
下プレート３４の上面における中心位置には、図８に示したように、アンカーボルト３１の下端を受けて保持する保持凹部４１が形成されている。保持凹部４１は筒状に形成されるとともに、その内周面にアンカーボルト３１の下端部に形成された雄ねじ３２ａを螺合する雌ねじ４１ａが形成されている。
【００５０】
また、下プレート３４における適宜部位には、貫通孔４２が設けられ、ベースコンクリート２３に対して固定するための釘等の固定用部材４３が取付け可能である。
【００５１】
さらに、上面には、上記支柱３５を取り付けるための取付け部４４が立設されており、支柱３５の下端部が着脱可能に固定できる。図中４５は、固定のためのねじである。支柱３５が着脱可能、すなわちアンカーパック３２が分解可能であるので、現場で組み立てるようにすれば現場搬入に際してのコストを抑えることができるとともに、搬送途中での破損を阻止できる。また、構成部材の単純化を図ることもできる。
【００５２】
上記支柱３５は、アングル材からなり、形成された立ち上がり基礎２２の高さに対応する所定長さに形成され、上下両端部には、上記固定のためのねじ４５を螺合するための雌ねじ４６が形成されている。
【００５３】
上記上プレート３６は、下プレート３４と略同一の形態に形成されている。しかし、上記螺合部３９、貫通孔４２、保持凹部４１を有さず、上記保持凹部４１と対向する位置に、アンカーボルト保持用の挿通孔４７が形成されている。
【００５４】
なお、フレーム体３３は分解・組み立て可能ではなく一体に形成されるものであるもよい。
【００５５】
上記アンカーボルト３１は、その下端部に、抜け止めに資する第１の上記雄ねじ３１ａを有するとともに、上記挿通孔４７に対応する部分から上側に、抜け止めおよび柱材固定に資する第２の雄ねじ３１ｂを有する。該第２の雄ねじ３１ｂには、２個のナット４８，４９を保持し、アンカーボルト３１のフレーム体３３に対する固定時にこれらのナット４８，４９で上プレート３６の挿通孔４７周辺を上下にはさみ込んで、強固に一体化する。
【００５６】
このような構成のアンカーパック３２は、次のようにして使用される。  
すなわち、ベースコンクリート２３の形成後に、立ち上がり基礎２２を形成する部位のうちの所定箇所に設置される。設置は、ベースコンクリート２３上に墨出し形成された芯墨に合わせて接地するとともに、下プレート３４及び上プレート３６が所定高さで水平になるように下プレート３４の螺合部３９に対するボルト３８の螺合で調整し、その後、貫通孔４２から固定用部材４３をベースコンクリート２３に対して打ち込んで固定を行うことで完了する。ベースコンリート２３にホールインアンカーなどを固定して、このホールインアンカーに対してボルト３８を螺合して固定することもできる。
【００５７】
続いて、適宜配筋を行い、型枠を組んで、コンクリートの打設を行って立ち上がり基礎２２を形成する。立ち上がり基礎２２の天端２２ａは、レベラーを流し込んで精密に行うが、このときには、アンカーパック３２の上プレート３６の上面が天端２２ａのレベルを示すので、レベラーの流し込みは上プレート３６の上面まで行えばよい。つまり、天端２２ａ形成のためのレベル出しはアンカーパック３２の設置時に自動的に行え、別途にレベル出しのための作業を行う必要がないので、施工が簡単である。このため、基礎工事の簡単化や後期の短縮化を実現できる。
【００５８】
このようにして立ち上がり基礎２２を形成した後は、アンカーボルト３１に螺合したナットのうち、上プレート３６の上側に位置するナット４９を外して、前記の如く上記柱脚金物６１を取り付けて、軸組１１の形成を行う。
【００５９】
上記のようなアンカーパック３２を用いると、アンカーパック３２を配置するだけで、アンカーボルト３１を所定の位置に配置できる。しかも、上プレート３６は下プレート３４と平行であるとともにその上面が立ち上がり基礎２２の天端２２ａと同一高さに位置するので、下プレート３４が水平になるように微調整しながら接地して固定すれば自動的に立ち上がり基礎２２の天端２２ａのレベル出しが行えることになる。
【００６０】
また、コンクリートの打設中、下プレート３４と支柱３５と上プレート３６が、一つの枠体となって、アンカーボルト３１を保持しているので、アンカーパック３２が捩れたりして変形することはなく、配置時の状態でアンカーボルト３１の設置ができる。そのうえ、下プレート３４は基本的にベースコンクリート２３上に接地するので、コンクリートを詰め込めない中途半端な隙間ができにくく、密実な立ち上がり基礎２２を形成できる。
【００６１】
しかも、アンカーボルト３１の保持は、その下端部と上部との２ヶ所で行うとともに、ねじ固定されるので、水平方向で位置ずれしないうえに、引き抜きに対して強度が得られる。また、アンカーボルト３１の下端は下プレート３４で受けられ、上からの荷重も強力に支持できる。
【００６２】
つまり、アンカーパック３２は立ち上がり基礎２２内でコンクリートと協働して、圧縮には勿論のこと引張りにも強い立ち上がり基礎２２を形成する。
【００６３】
この結果、上記のような基礎１１に上記のような柱脚金物６１を固定して柱材１２の建て込みを行って構成した軸組１１を有する木造建築は、基礎２１上の構造物（床組や軸組）が基礎２１からずれたりすることはなく、しっかりと支えられる。
【００６４】
しかも、柱材１２はアンカーボルト３１と同一軸線上に連結されるので、柱材１２を基礎２１に直結することができて、ホールダウン金物を別途に設けずとも、柱材が土台からほぞ抜けを起すようなことを防止できる地震にも強い高強度・高耐久の木造建築物となる。
【００６５】
また、柱材１２を建て込むために上記のような柱脚金物６１を用いるので、基礎工事で精度の高いレベル出しを行った上に、建て方でも正確なレベル出しと位置決めが容易に行えるので、柱材１２の建て込み高さや位置をより正確にすることができる。このため、歪のない精度の高い木造建築を得ることができ、強度や耐久性の向上に大きく貢献する。
【００６６】
また、アンカーパック３２は、フレーム体３３にアンカーボルト３１を差し込んで固定するという簡単な作業で使用することができる。そして、その構造は部品点数も少なく簡素であって、鉄骨建築用の基礎に比して幅も高さも小さい木造建築用の基礎に最適な、コンパクトで取り扱い容易なアンカーパック３２である。
【００６７】
この発明の構成と上記一形態の構成との対応において、  
この発明における目印は、上記構成における切欠６３ａに対応し、  
同様に、  
環状板部の上下に配設されるナットは、位置調整用ナット６５と固定用ナット６６に対応し、  
環状板部の上側に配設されるナットは、固定用ナット６６に対応し、  
座金は、座金６８に対応するも、  
この発明は上記構成のみに限定されることはなく、その他の様々な形態を採用することができる。
【００６８】
たとえば、環状板部６４は、受け部６３と同一高さに形成されるものではなく、それより上方に形成されるものであるもよい。
【図面の簡単な説明】
【００６９】
【図１】柱脚部の断面図。
【図２】木造建築の基礎と軸組の斜視図。
【図３】柱脚部の分解斜視図。
【図４】柱脚金物の作用状態を示す断面図。
【図５】柱脚金物の横断面図。
【図６】柱脚金物の固定状態を示す断面図。
【図７】基礎の断面図。
【図８】アンカーパックの分解斜視図。
【図９】アンカーパックの正面図。
【図１０】アンカーパックの設置状態を示す断面図。
【符号の説明】
【００７０】
１２…柱材
２１…基礎
２２ａ…天端
３１…アンカーボルト
６１…柱脚金物
６２…挿入部
６３…受け部
６３ａ…切欠
６４…環状板部
６４ａ…バカ孔
６５…位置調整用ナット
６６…固定用ナット
６８…座金
【図１】
0004774268.tif 000002
【図２】
0004774268.tif 000003
【図３】
0004774268.tif 000004
【図４】
0004774268.tif 000005
【図５】
0004774268.tif 000006
【図６】
0004774268.tif 000007
【図７】
0004774268.tif 000008
【図８】
0004774268.tif 000009
【図９】
0004774268.tif 000010
【図１０】
0004774268.tif 000011